(57)【要約】【課題】ゴルフボールマーカの視認性や判別性を改善する。【解決手段】ゴルフボールマーカ１は、磁石２２を有する基台４と、磁石２２の磁力により基台４の裏面に取り外し可能に取り付けられる着脱マーカ６と、を有する。そして、たとえば、着脱マーカ６は、平板部１１を有し、基台４は、着脱マーカ６の平板部１１より一回り大きいサイズに形成されるハウジング２１と、ハウジング２１内に配置される磁石２２とを有し、ゴルフボールマーカ１は、ハウジング２１の表面に突出して設けられる装飾部材２をさらに有し、着脱マーカ６は、基台４の裏面に取り付けられた状態でハウジング２１より下へ突出してもよい。【選択図】  図２
0003194292.tif 000002
【実用新案登録請求の範囲】
【請求項１】
磁石を有する基台と、
前記磁石の磁力により前記基台の裏面に取り外し可能に取り付けられる着脱マーカと、
を有するゴルフボールマーカ。
【請求項２】
前記着脱マーカは、平板部を有し、
前記基台は、
前記着脱マーカの前記平板部より一回り大きいサイズに形成されるハウジングと、
前記ハウジング内に配置される磁石と、
を有し、
前記ハウジングの表面に突出して設けられる装飾部材をさらに有し、
前記着脱マーカは、前記基台の裏面に取り付けられた状態で前記ハウジングより下へ突出する、
請求項１記載のゴルフボールマーカ。
【請求項３】
前記装飾部材は、装飾金属板を有し、前記装飾金属板が前記ハウジング内の前記磁石と吸着することにより取り外し可能に前記基台に取り付けられ、
前記磁石は、前記着脱マーカ側の吸着面の面積より前記装飾部材側の吸着面の面積が大きくなるように形成される、
請求項２記載のゴルフボールマーカ。
【請求項４】
前記磁石は、円柱形状または円筒形状を有し、
前記着脱マーカは、円板形状または円環形状のマーカ金属板が前記平板部と重ねて設けられ、
前記マーカ金属板は、前記磁石より小径に形成される、
請求項２または３記載のゴルフボールマーカ。
【請求項５】
前記着脱マーカは、平板部と、前記平板部の一面の略中央から突出するピン部と、を有し、
前記基台は、
前記着脱マーカの前記平板部より一回り大きいサイズに形成され、裏面に前記着脱マーカが取り付けられるハウジングと、
前記ハウジングの中央部に形成され、前記ハウジングの裏面に取り付けられた前記着脱マーカの前記ピン部が貫通するハウジング貫通孔と、
前記ハウジング内に配置される磁石と、
を有し、
前記ハウジングの表面の略中央部に取り付けられて、前記ハウジング貫通孔から突出する前記ピン部の先端部分を覆う装飾部材をさらに有し、
前記着脱マーカは、前記基台の裏面に取り付けられた状態で前記ハウジングより下へ突出する、
請求項１記載のゴルフボールマーカ。
【請求項６】
前記装飾部材は、前記ピン部の先端部分が貫通する装飾貫通孔が形成された装飾金属板を有し、前記装飾金属板が前記ハウジング内の前記磁石と吸着することにより取り外し可能に前記基台に取り付けられ、
前記磁石は、前記着脱マーカ側の吸着面の面積より前記装飾部材側の吸着面の面積が大きくなるように形成される、
請求項５記載のゴルフボールマーカ。
【請求項７】
前記磁石は、前記ピン部が挿入される磁石貫通孔を有する円筒形状を有し、
前記着脱マーカは、前記ピン部が挿入されるマーカ貫通孔を有する円環形状のマーカ金属板が前記平板部と重ねて設けられ、
前記マーカ金属板は、前記磁石より小径に形成される、
請求項５または６記載のゴルフボールマーカ。
【請求項８】
円筒形状の前記磁石は、前記着脱マーカ側の吸着面に、前記磁石貫通孔から続くテーパ面が形成され、
前記着脱マーカは、前記マーカ金属板が前記テーパ面の外周より小径に形成され、
前記平板部が、前記マーカ金属板の厚みにより前記基台に取り付けられた状態で前記基台から浮く、
請求項７記載のゴルフボールマーカ。
【請求項９】
前記ハウジングの表面には、前記装飾部材の前記装飾金属板が収まる凹部および前記装飾金属板の周囲で突出する凸部の中の少なくとも一方が形成される、
請求項３または６記載のゴルフボールマーカ。
【請求項１０】
前記着脱マーカは、平板部を有し、
前記基台は、
前記着脱マーカの前記平板部より一回り大きいサイズに形成されるハウジングと、
前記ハウジング内に配置される磁石と、
を有し、
前記着脱マーカは、前記基台の裏面に取り付けられた状態で前記ハウジングより下へ突出する、
請求項１記載のゴルフボールマーカ。
【請求項１１】
前記着脱マーカは、平板部と、前記平板部の一面の略中央から突出するピン部と、を有し、
前記基台は、
前記着脱マーカの前記平板部より一回り大きいサイズに形成され、裏面に前記着脱マーカが取り付けられるハウジングと、
前記ハウジングの中央部に形成され、前記ハウジングの裏面に取り付けられた前記着脱マーカの前記ピン部が貫通するハウジング貫通孔と、
前記ハウジング内に配置される磁石と、
を有し、
前記ピン部は、前記着脱マーカが前記基台の裏面に取り付けられた状態で前記ハウジングの表面より上へ突出する、
請求項１記載のゴルフボールマーカ。
【請求項１２】
磁石を有する基台と、
前記磁石の磁力により前記基台の裏面に取り外し可能に取り付けられる着脱マーカに用いられるマーカ金属板と、
を有するゴルフボールマーカ用キット。
【考案の詳細な説明】
【技術分野】
【０００１】
本考案は、ゴルフボールマーカおよびゴルフボールマーカ用キットに関する。
【背景技術】
【０００２】
ゴルフでは、グリーン上でパッティングする際に、自己のゴルフボールをグリーン上から取り除くための目印としてゴルフボールマーカを使用する。
特許文献１は、ゴルフボールマーカを開示する。このゴルフボールマーカは、円板形状の平板部と、平板部の一面の中央から突出するピン部と、を有する。このゴルフボールマーカは、ゴルフボールを取り除いた地面にピン部を刺して使用される。平板部の表面が平らであるため、グリーン上に異物が突出しなくなる。ゴルフボールがあった位置を他人のゴルフボールが通過できるようにできる。略同一条件での競技が可能になる。
【先行技術文献】
【特許文献】
【０００３】
【特許文献１】特開平０５−１６８７３５号公報
【考案の概要】
【考案が解決しようとする課題】
【０００４】
しかしながら、このようなゴルフボールマーカは、一般的に小さくて目立ち難い。そのため、グリーン上に置いたときに発見し難い。特に、視力が弱い人が天候の暗いときにプレーしている場合、使用したゴルフボールマーカを見失ってしまうことがある。また、ゴルフボールマーカは、ポケットなどに入れて持ち歩いた場合、紛失し易い。
また、近接して複数の同じゴルフボールマーカが設置された場合、使用者が、そのどちらのゴルフボールマーカが自分のものであるのかを判別できなくなってしまうことがある。特に、ゴルフ場などから提供されたゴルフボールマーカを複数人が使用している場合、自分が使用しているゴルフボールマーカをはっきりと意識することなく、しかも、ゴルフボールマーカをズボンのポケットに入れて持ち運んでいる。この場合、自分が使用したゴルフボールマーカがどのようなデザインのものであるのかを、そもそもはっきりと意識していないことがある。
また、同行者は、一般的にしゃがみこんで低い位置からパッティングのコースを読み取る。この場合、ゴルフボールマーカの位置を目視できないことが多い。その結果、ゴルフボールマーカの位置をさけてパッティングをしようとしても、それを容易に実施することができない。
【０００５】
このように、ゴルフボールマーカでは、その視認性や判別性を改善することなどが、潜在的に要望されている。
【課題を解決するための手段】
【０００６】
本考案に係るゴルフボールマーカは、磁石を有する基台と、前記磁石の磁力により前記基台の裏面に取り外し可能に取り付けられる着脱マーカと、を有する。
【０００７】
好適には、前記着脱マーカは、平板部を有し、前記基台は、前記着脱マーカの前記平板部より一回り大きいサイズに形成されるハウジングと、前記ハウジング内に配置される磁石と、を有し、前記ハウジングの表面に突出して設けられる装飾部材をさらに有し、前記着脱マーカは、前記基台の裏面に取り付けられた状態で前記ハウジングより下へ突出する、とよい。
【０００８】
好適には、前記装飾部材は、装飾金属板を有し、前記装飾金属板が前記ハウジング内の前記磁石と吸着することにより取り外し可能に前記基台に取り付けられ、前記磁石は、前記着脱マーカ側の吸着面の面積より前記装飾部材側の吸着面の面積が大きくなるように形成される、とよい。
【０００９】
好適には、前記磁石は、円柱形状または円筒形状を有し、前記着脱マーカは、円板形状または円環形状のマーカ金属板が前記平板部と重ねて設けられ、前記マーカ金属板は、前記磁石より小径に形成される、とよい。
【００１０】
好適には、前記着脱マーカは、平板部と、前記平板部の一面の略中央から突出するピン部と、を有し、前記基台は、前記着脱マーカの前記平板部より一回り大きいサイズに形成され、裏面に前記着脱マーカが取り付けられるハウジングと、前記ハウジングの中央部に形成され、前記ハウジングの裏面に取り付けられた前記着脱マーカの前記ピン部が貫通するハウジング貫通孔と、前記ハウジング内に配置される磁石と、を有し、前記ハウジングの表面の略中央部に取り付けられて、前記ハウジング貫通孔から突出する前記ピン部の先端部分を覆う装飾部材をさらに有し、前記着脱マーカは、前記基台の裏面に取り付けられた状態で前記ハウジングより下へ突出する、とよい。
【００１１】
好適には、前記装飾部材は、前記ピン部の先端部分が貫通する装飾貫通孔が形成された装飾金属板を有し、前記装飾金属板が前記ハウジング内の前記磁石と吸着することにより取り外し可能に前記基台に取り付けられ、前記磁石は、前記着脱マーカ側の吸着面の面積より前記装飾部材側の吸着面の面積が大きくなるように形成される、とよい。
【００１２】
好適には、前記磁石は、前記ピン部が挿入される磁石貫通孔を有する円筒形状を有し、前記着脱マーカは、前記ピン部が挿入されるマーカ貫通孔を有する円環形状のマーカ金属板が前記平板部と重ねて設けられ、前記マーカ金属板は、前記磁石より小径に形成される、とよい。
【００１３】
好適には、円筒形状の前記磁石は、前記着脱マーカ側の吸着面に、前記磁石貫通孔から続くテーパ面が形成され、前記着脱マーカは、前記マーカ金属板が前記テーパ面の外周より小径に形成され、前記平板部が、前記マーカ金属板の厚みにより前記基台に取り付けられた状態で前記基台から浮く、とよい。
【００１４】
好適には、前記ハウジングの表面には、前記装飾部材の前記装飾金属板が収まる凹部および前記装飾金属板の周囲で突出する凸部の中の少なくとも一方が形成される、とよい。
【００１５】
好適には、前記着脱マーカは、平板部を有し、前記基台は、前記着脱マーカの前記平板部より一回り大きいサイズに形成されるハウジングと、前記ハウジング内に配置される磁石と、を有し、前記着脱マーカは、前記基台の裏面に取り付けられた状態で前記ハウジングより下へ突出する、とよい。
【００１６】
好適には、前記着脱マーカは、平板部と、前記平板部の一面の略中央から突出するピン部と、を有し、前記基台は、前記着脱マーカの前記平板部より一回り大きいサイズに形成され、裏面に前記着脱マーカが取り付けられるハウジングと、前記ハウジングの中央部に形成され、前記ハウジングの裏面に取り付けられた前記着脱マーカの前記ピン部が貫通するハウジング貫通孔と、前記ハウジング内に配置される磁石と、を有し、前記ピン部は、前記着脱マーカが前記基台の裏面に取り付けられた状態で前記ハウジングの表面より上へ突出する、とよい。
【００１７】
本考案に係るゴルフボールマーカ用キットは、磁石を有する基台と、前記磁石の磁力により前記基台の裏面に取り外し可能に取り付けられる着脱マーカに用いられるマーカ金属板と、を有する。
【考案の効果】
【００１８】
本考案では、ゴルフボールマーカを磁力で金属製のクリップやタイピン、ゴルフバッグの金属部分に取り付けることができる。ゴルフボールマーカを判り易いところに取り付けて持ち運ぶことができる。また、ゴルフボールマーカを目立つところに取り付けて紛失し難くできる。また、基台を地面に設置したり、基台から取り外した着脱マーカのみを地面に設置したりすることができる。たとえば、カップの近くであって他人のゴルフボールの進路を妨げるような位置の場合には、着脱マーカのみを用いて進路を妨害しないことを優先し、それ以外のカップから離れた位置の場合には、目立つ基台を上にして基台および着脱マーカを用いて視認性を優先させることができる。
また、着脱マーカが基台と一体化された状態で金属製のクリップに取り付けることができるようになっている状況下で、状況に応じてこれらの使い分けを意識させることで、使用している基台および着脱マーカを共に使用者に強く意識させ、使用者による自他ゴルフボールマーカの識別性を自然と改善できる。また、着脱マーカより目立つ基台を地面に設置することで、ゴルフボールマーカが目立ち易くなり、発見し易くなる。物理的な視認性（識別性）と精神的な視認性（識別性）とを共に改善することができる。
また、このようにゴルフボールマーカを意識して目立つところにつけて持ち運ぶことにより、自分が使用しているゴルフボールマーカがどのようなデザインのものかをはっきりと意識させることが可能になる。他人に対しても、自分のゴルフボールマーカを意識させることができる。
このように、本考案では、ゴルフボールマーカの視認性と判別性とを共に改善することができる。
【図面の簡単な説明】
【００１９】
【図１】図１は、本考案の第１実施形態に係るゴルフボールマーカの外観図である。
【図２】図２は、図１のゴルフボールマーカの断面図である。
【図３】図３は、本考案の第２実施形態に係るゴルフボールマーカの外観図である。
【図４】図４は、図３のゴルフボールマーカの断面図である。
【図５】図５は、本考案の第３実施形態に係るゴルフボールマーカを下から見た外観図である。
【図６】図６は、図５のゴルフボールマーカの断面図である。
【図７】図７は、本考案の第４実施形態に係るゴルフボールマーカの外観図である。
【図８】図８は、図７のゴルフボールマーカを下から見た断面図である。
【図９】図９は、第２実施形態に係るゴルフボールマーカの変形例の外観図である。
【図１０】図１０は、図９のゴルフボールマーカの断面図である。
【考案を実施するための形態】
【００２０】
以下、本考案の実施形態を、図面に基づいて説明する。
【００２１】
［第１実施形態］
図１は、本考案の第１実施形態に係るゴルフボールマーカ１の外観図である。図１（Ａ）は側面図であり、図１（Ｂ）は上面図であり、図１（Ｃ）は裏面図である。
図２は、図１のゴルフボールマーカ１の断面図である。
図１および図２のゴルフボールマーカ１は、グリーン上でパッティングする際に、他人のゴルフボールをグリーン上から取り除くための目印として使用される。
ゴルフボールマーカ１は、装飾部材２、磁石２２を有する基台４、着脱マーカ６、を有する。図１（Ａ）において、着脱マーカ６は、基台４から取り外されている。図１（Ｃ）において、着脱マーカ６は、点線で図示されている。
【００２２】
着脱マーカ６は、平板部１１、マーカ金属板１２、を有する。
平板部１１は、一般的なゴルフボールマーカ１と同程度の数センチメートルのサイズの円板形状を有する。平板部１１は、たとえば樹脂材料により形成される。樹脂材料には、磁力を透過する特性がある。
マーカ金属板１２は、平板部１１より小さい外形の円板形状または円環形状を有する。マーカ金属板１２は、磁石２２に吸着する金属材料により形成される。
そして、マーカ金属板１２は、平板部１１と同心に、平板部１１に重ねて設けられる。図１では、マーカ金属板１２は、たとえば接着剤により、略円板形状の平板部１１の上面に重ねて取り付けられる。
このような形状の着脱マーカ６は、それ単体でゴルフボールマーカとして使用することができる。
【００２３】
基台４は、ハウジング２１、磁石２２、クッション材２３、を有する。
ハウジング２１は、着脱マーカ６の平板部１１より一回り大きいサイズの略円板形状の外形に形成される。円板形状のハウジング２１では、上面の中央部が周縁部より上へ突出した凸曲面形状に形成される。ハウジング２１は、樹脂材料により形成される。ハウジング２１の裏面には、ハウジング凹部２４が形成される。ハウジング凹部２４が形成されることにより、ハウジング２１は、略一定の厚さに形成される。
磁石２２は、たとえば永久磁石である。磁石２２は、円柱形状に形成される。なお、磁石２２は、円筒形状に形成されてもよい。磁石２２は、略円板形状のハウジング２１の中央部において、ハウジング２１内に収めて配置される。円柱形状の磁石２２の裏面は、ハウジング２１の裏面より上側となるように奥へ引っ込んでいる。円柱形状の磁石２２の裏面には、円板形状の溝である磁石凹部２５が形成される。磁石２２および磁石凹部２５は、略円板形状のハウジング２１とは略同心となるように設けられる。
クッション材２３は、たとえばウレタン材料で形成される。クッション材２３は、ハウジング凹部２４において磁石２２の周囲に充填される。これにより、ハウジング２１の裏面には、磁石２２の周囲に、柔らかいクッション材２３が露出して設けられる。クッション材２３の裏面は、磁石２２の裏面と面一に形成される。
【００２４】
装飾部材２は、たとえばスポンジ材料により球形に形成された装飾部３１を有する。装飾部３１は、目立つようにたとえば黄色、赤色などの原色に着色されてよい。また、装飾部３１には、球形のスポンジ材料から周囲へ突出させて複数のヒゲ部３２が設けられる。ヒゲ部３２は、たとえば透明な樹脂線材でよい。原色に着色したスポンジ材料の周囲に透明な樹脂線材が突出することで、グリーン上で高い異物感が得られ、高い視認性が得られる。
そして、装飾部材２の装飾部３１は、ハウジング２１の上面にたとえは接着して固定される。このように装飾部材２が基台４と一体化したゴルフボールマーカ１は、ハウジング２１の上面中央部から上へ装飾部材２が突出した外形に形成される。高さを有するゴルフボールマーカ１は、グリーンの芝に埋もれることなく、グリーンから突出し、高い視認性が得られる。
なお、装飾部材２は、ハウジング２１の上面から上へ突出してゴルフボールマーカ１を目立たせることができるものであればよく、この他にもたとえば熊形状のプラモデルでもよい。
【００２５】
そして、このようなゴルフボールマーカ１では、マーカ金属板１２が磁石凹部２５に収まった状態で磁石２２と吸着できる。これにより、着脱マーカ６は、磁石２２の磁力により、基台４のハウジング２１の裏面に、取り外し可能に取り付けられる。また、マーカ金属板１２は、磁石２２より小径に形成されている。よって、基台４は、着脱マーカ６を間に挟んだ状態で、たとえば金属製のクリップに取り付けることができる。また、着脱マーカ６が装飾部材２および基台４と一体化している状態で、グリーン上に置いて、ゴルフボールマーカ１として使用することができる。
また、着脱マーカ６は、この基台４の裏面に取り付けられた状態で、ハウジング２１より下へ突出する。着脱マーカ６の平板部１１と、基台４のクッション材２３との間には隙間が形成される。この隙間にたとえば爪先を入れることにより、磁力で磁石２２に吸着している着脱マーカ６を、基台４から容易に取り外すことができる。取り外した着脱マーカ６は、それ単体で、ゴルフボールマーカ１として使用することができる。また、着脱マーカ６を取り外した基台４は、たとえば金属製のクリップに取り付けることができる。
【００２６】
以上のように、本実施形態では、ゴルフボールマーカ１を磁力で金属製のクリップやタイピン、ゴルフバッグの金属部分に取り付けることができる。ゴルフボールマーカ１を視認し易いところに取り付けて持ち運ぶことができる。ゴルフボールマーカ１を目立つところに取り付けて紛失し難くできる。また、たとえば基台４を地面に目立つように設置したり、基台４から取り外した着脱マーカ６のみを地面に設置したりすることができる。たとえば、カップの近くであって他人のゴルフボールの進路を妨げるような位置の場合には、着脱マーカ６のみを用いて進路を妨害しないようにゴルフボールマーカ１を設置し、それ以外のカップから離れた位置の場合には、ゴルフボールマーカ１が目立つように基台４および装飾部材２を設置することができる。また、着脱マーカ６が基台４と一体化された状態で金属製のクリップに取り付けることができるようになっている状況下で、状況に応じてこれらの使い分けを意識させることで、使用している基台４および着脱マーカ６を共に使用者に強く意識させ、使用者による自他ゴルフボールマーカ１の識別性を自然と改善できる。また、着脱マーカ６より高くて目立つ基台４および装飾部材２を地面に設置することで、ゴルフボールマーカ１が目立ち易くなり、発見し易くなる。物理的な視認性（識別性）と精神的な視認性（識別性）とを共に改善することができる。
また、このようにゴルフボールマーカ１を意識して目立つところにつけて持ち運ぶことにより、自分が使用しているゴルフボールマーカ１がどのようなデザインのものかをはっきりと自他に意識させることが可能になる。他人に対しても、自分のゴルフボールマーカ１を意識させることができる。
このように、本実施形態では、ゴルフボールマーカ１の視認性と判別性とを共に改善することができる。
【００２７】
また、本実施形態では、裏面に着脱マーカ６が取り付けられる基台４のハウジング２１の表面から突出して装飾部材２が設けられる。よって、ゴルフボールマーカ１の視認性および判別性を格段に改善できる。
しかも、ゴルフボールマーカ１を金属製のクリップなどに取り付けた場合、基台４の磁石２２と金属製のクリップとの間に着脱マーカ６が介在する。また、基台４の磁石２２は、金属製のクリップから浮かした状態になる。金属製のクリップに対する磁力は、着脱マーカ６に対する磁力と比べて相対的に弱くなる。よって、基台４のハウジング２１の表面から突出している装飾部材２を指で挟んで引っ張ることにより、金属製のクリップから基台４とともに着脱マーカ６を容易に取り外すことができる。ゴルフボールマーカ１の全体を容易に取り外すことができる。ゴルフボールマーカ１の使用性として好適なものを得ることができる。
【００２８】
また、本実施形態では、着脱マーカ６における円板形状または円環形状のマーカ金属板１２が、円柱形状または円筒形状の磁石２２より小径に形成される。マーカ金属板１２により磁石２２の裏面の全体を覆わない。よって、着脱マーカ６が取り付けられた基台４を、金属製のクリップなどに対して、磁石２２の磁力により取り付けることができる。
また、着脱マーカ６の平板部１１は、マーカ金属板１２の厚さにより、基台４に対して浮かして取り付けられる。着脱マーカ６の平板部１１と基台４との間に爪先などを入れて、着脱マーカ６を容易に基台４から取り外すことができる。指がかじかんでいる状態でも高い作業性を確保できる。
【００２９】
［第２実施形態］
次に、本考案の第２実施形態に係るゴルフボールマーカ１について説明する。第２実施形態の各構成要素については、対応する第１実施形態と同一の符号を付して重複する説明を省略する。以下の説明では、主に第１実施形態との相違点について説明する。
図３は、本考案の第２実施形態に係るゴルフボールマーカ１の外観図である。
図４は、図３のゴルフボールマーカ１の断面図である。
ゴルフボールマーカ１は、装飾部材２、磁石２２を有する基台４、着脱マーカ６、を有する。図３において、着脱マーカ６および装飾部材２は、基台４から取り外されている。
【００３０】
基台４は、ハウジング２１、磁石２２、クッション材２３、を有する。
中央部が周縁部より上へ突出した凸曲面形状のハウジング２１には、ハウジング貫通孔２６が形成される。ハウジング貫通孔２６は、略円形形状のハウジング２１の中央を貫通する。
磁石２２は、円筒形状に形成される。円筒形状の磁石２２の中心には、磁石貫通孔２７が形成される。ハウジング２１の裏面の中央部に磁石２２が取り付けられた状態で、磁石貫通孔２７は、ハウジング貫通孔２６と重なる。基台４には、その中心を貫通する基台貫通孔２８が形成される。
また、円筒形状の磁石２２には、磁石貫通孔２７と同軸に、磁石凹部２５の替わりに、円錐形状のテーパ部２９が形成される。テーパ部２９は、円筒形状の磁石２２の裏面に形成される。テーパ部２９の周囲には、円筒形状の磁石２２の裏面が円環形状に残る。これにより、磁石２２は、着脱マーカ６が吸着する裏面の面積より、装飾部材２が吸着する上面の面積が大きくなるように形成される。
【００３１】
着脱マーカ６は、平板部１１、マーカ金属板１２、ピン部１３、を有する。
ピン部１３は、円柱形状を有し、円板形状の平板部１１の一面の中央から突出する。ピン部１３は、たとえば円板形状の平板部１１と一体に成形されてよい。
マーカ金属板１２は、平板部１１より小さい外形の円環形状を有する。マーカ金属板１２は、磁石２２のテーパ部２９による円錐の裏面より一回り小さく形成される。すなわち、円筒形状の磁石２２より小径に形成される。
また、円環形状のマーカ金属板１２の中心には、マーカ貫通孔１４が形成される。マーカ貫通孔１４には、ピン部１３が挿入される。ピン部１３が装飾貫通孔３４を貫通した状態で、マーカ金属板１２は平板部１１の上に重ねられる。なお、マーカ金属板１２は、接着剤により、平板部１１に接着される。
【００３２】
装飾部材２は、装飾部３１、ヒゲ部３２、装飾金属板３３、を有する。
装飾金属板３３は、円環形状を有する。円環形状の装飾金属板３３の中心には、装飾貫通孔３４が形成される。装飾金属板３３は、磁石２２に吸着する金属材料により形成される。
そして、装飾金属板３３は、装飾部３１の下部に接着剤により取り付けられる。また、装飾部３１には、装飾貫通孔３４と連通する装飾穴３５が形成される。装飾貫通孔３４および装飾穴３５は、着脱マーカ６のピン部１３より大径に形成される。
【００３３】
このようなゴルフボールマーカ１では、装飾金属板３３が磁石２２と吸着することにより、ハウジング２１の上面に装飾部材２が取り外し可能に取り付けられる。基台４の磁石貫通孔２７およびハウジング貫通孔２６の上に、装飾部材２の装飾貫通孔３４および装飾穴３５が位置し得る。
また、マーカ金属板１２が磁石２２と吸着することにより、基台４の裏面に着脱マーカ６が取り外し可能に取り付けられる。マーカ金属板１２により、着脱マーカ６の平板部１１は、基台４の裏面に取り付けられた状態で、ハウジング２１より下へ突出する。着脱マーカ６の平板部１１と、基台４のクッション材２３との間には隙間が形成される。平板部１１は、マーカ金属板１２の厚みにより、基台４に取り付けられた状態で基台４から浮く。
また、着脱マーカ６のピン部１３は、基台４の磁石貫通孔２７およびハウジング貫通孔２６に挿入される。ピン部１３は、基台４を貫通し、基台４のハウジング２１の上面から上へ突出する。ハウジング貫通孔２６から突出するピン部１３の先端部分は、ハウジング貫通孔２６と重なる装飾貫通孔３４および装飾穴３５に挿入される。着脱マーカ６のピン部１３は、基台４および装飾部材２により覆われ、露出しない。
そして、このようなゴルフボールマーカ１では、マーカ金属板１２が磁石２２のテーパ部２９に収まった状態で磁石２２と吸着できる。これにより、着脱マーカ６は、磁石２２の磁力により、基台４のハウジング２１の裏面に、取り外し可能に取り付けられる。また、マーカ金属板１２は、磁石２２より小径に形成されている。よって、基台４は、着脱マーカ６を間に挟んだ状態で、たとえば金属製のクリップに取り付けることができる。また、着脱マーカ６が装飾部材２および基台４と一体化している状態で、グリーン上に置いて、ゴルフボールマーカ１として使用することができる。
また、着脱マーカ６は、この基台４の裏面に取り付けられた状態で、ハウジング２１より下へ突出する。着脱マーカ６の平板部１１と、基台４のクッション材２３との間には隙間が形成される。この隙間にたとえば爪先を入れることにより、磁力で磁石２２に吸着している着脱マーカ６を、基台４から容易に取り外すことができる。取り外した着脱マーカ６は、それ単体で、ピン部１３で地面を刺して、ゴルフボールマーカ１として使用することができる。また、着脱マーカ６を取り外した基台４は、たとえば金属製のクリップに取り付けることができる。
【００３４】
以上のように、本実施形態において、着脱マーカ６は、平板部１１の一面の略中央からピン部１３が突出している。よって、着脱マーカ６は、それ単体で、一般的なゴルフボールマーカ１と同様に地面に突き刺して利用することができる。
また、基台４にはハウジング２１にピン部１３が貫通する基台貫通孔２８が形成される。基台貫通孔２８から突出するピン部１３の先端部分を覆う装飾部材２を有する。突出するピン部１３を有する着脱マーカ６の全体は、基台４および装飾部材２により覆われ得る。しかも、ハウジング２１ではピン部１３が貫通するので、ハウジング２１をピン部１３の全体を覆う厚さに形成する必要はなく、ハウジング２１をピン部１３よりも薄く形成することもできる。薄いハウジング２１とその表面に突出した装飾部材２とによる特徴的な形状とすることができ、ゴルフボールマーカ１として高いデザイン性を得ることができる。
しかも、ゴルフボールマーカ１を金属製のクリップなどに取り付けた場合、基台４の磁石２２と金属製のクリップとの間に着脱マーカ６を介在させることができる。また、基台４の磁石２２を金属製のクリップから浮かした状態で取り付けることができる。さらに、ハウジング２１の表面には装飾部材２が突出して設けられる。その結果、突出している装飾部材２を指で挟んで引くことにより、金属製のクリップから装飾部材２とともに基台４および着脱マーカ６を容易に一体的に取り外すことができる。
【００３５】
また、本実施形態では、磁石２２が、着脱マーカ６側の吸着面の面積より装飾部材２側の吸着面の面積が大きくなるように形成されている。よって、装飾金属板３３を有する装飾部材２は、基台４の磁石２２に対して、着脱マーカ６より強く吸着し得る。また、金属製のクリップより強く吸着し得る。その結果、装飾部材２を指で挟んで引くことで、装飾部材２とともに着脱マーカ６が吸着している基台４を金属製のクリップから容易に取り外すことができる。
また、着脱マーカ６の先端部分が装飾部材２の装飾金属板３３の装飾貫通孔３４に挿入されているので、金属製のクリップの表面に沿って装飾部材２をつかんでずらしたとしても、装飾部材２とともに着脱マーカ６および基台４の全体をずらすことができる。装飾部材２を持ってスライドさせることで、ゴルフボールマーカ１を金属製のクリップから取り外すことができる。
しかも、着脱マーカ６を取り外して使用している場合に、使用していない装飾部材２および基台４を金属製のクリップに取り付けたとしても、その装飾部材２を指で挟んで引くことで、装飾部材２とともに基台４を金属製のクリップから容易に取り外すことができる。
また、装飾部材２は磁力により基台４と一体化する。装飾部材２と基台４との組み合わせを容易に変更できる。色彩が異なる複数組を予め準備することで、使用者は、装飾部材２のデザインと基台４のデザインとの組み合わせを選ぶことができる。これにより、ゴルフボールマーカ１の視認性および判別性をさらに改善できる。
【００３６】
また、本実施形態では、着脱マーカ６のマーカ金属板１２は、磁石２２より小径に形成される。着脱マーカ６のマーカ金属板１２により磁石２２の全体を覆わない。よって、着脱マーカ６が取り付けられた基台４を、磁石２２の磁力により金属製のクリップなどに取り付けることができる。
また、着脱マーカ６の平板部１１は、マーカ金属板１２の厚みにより、基台４に対して浮かして取り付けられる。着脱マーカ６の平板部１１と基台４との間に爪先などを入れて、着脱マーカ６を容易に基台４から取り外すことができる。
【００３７】
また、本実施形態では、円筒形状の磁石２２についての着脱マーカ６側の吸着面には、磁石貫通孔２７から続くテーパ部２９が形成されている。よって、基台４に取り付けられている着脱マーカ６は、平板部１１の周縁部分が押されることで、基台４の裏面に対して斜めに立ち上がり、斜めの状態で保持され得る。斜めに立った着脱マーカ６の平板部１１と基台４との間に指の腹などを入れることができる。指先に負担をかけないで、着脱マーカ６を基台４から容易に取り外すことができる。
【００３８】
なお、第１実施形態では、装飾部材２は、基台４のハウジング２１の上面中央部に接着されている。この他もたとえば、第１実施形態のゴルフボールマーカ１において、装飾部材２に円板形状の装飾金属板３３を設け、磁力により装飾部材２を基台４ハウジング２１内の磁石２２を取り付けてもよい。この場合、装飾部材２は、基台４から取り外すことができる。さらに、第２実施形態のように、磁石２２を、着脱マーカ６側の吸着面の面積より装飾部材２側の吸着面の面積が大きくなるように形成してもよい。この場合、装飾金属板３３を有する装飾部材２は、基台４の磁石２２に対して、着脱マーカ６より強く吸着し得る。また、金属製のクリップより強く吸着し得る。その結果、装飾部材２を指で挟んで引くことで、装飾部材２とともに着脱マーカ６が吸着している基台４を金属製のクリップから容易に取り外すことができる。しかも、着脱マーカ６を取り外して使用している場合に、使用していない装飾部材２および基台４を金属製のクリップに取り付けていたとしても、その装飾部材２を指で挟んで引くことにより、装飾部材２とともに基台４を金属製のクリップから容易に取り外すことができる。
また、装飾部材２は磁力により基台４と一体化する。装飾部材２と基台４との組み合わせを容易に変更できる。使用者は、装飾部材２のデザインと基台４のデザインとの組み合わせを選ぶことができる。これにより、ゴルフボールマーカ１の視認性および判別性をさらに改善できる。
【００３９】
［第３実施形態］
次に、本考案の第３実施形態に係るゴルフボールマーカ１について説明する。第２実施形態の各構成要素については、対応する第１実施形態と同一の符号を付して重複する説明を省略する。以下の説明では、主に第１実施形態との相違点について説明する。
図５は、本考案の第３実施形態に係るゴルフボールマーカ１を下から見た外観図である。
図６は、図５のゴルフボールマーカ１の断面図である。
ゴルフボールマーカ１は、磁石２２を有する基台４、着脱マーカ６、を有する。図６において、着脱マーカ６は、基台４から取り外されている。図５では、着脱マーカ６が点線で図示されている。
【００４０】
基台４は、ハウジング２１、磁石２２、を有する。
ハウジング２１は、たとえば樹脂材料により、着脱マーカ６の平板部１１より一回り大きいサイズの略円板形状の外形に形成される。円板形状のハウジング２１の上面には上面凹部４１が形成され、裏面には裏面凹部４２が形成される。上面凹部４１および裏面凹部４２は、着脱マーカ６の平板部１１より大径の円板形状に形成される。上面凹部４１および裏面凹部４２により、ハウジング２１についての中心部分は、薄くなる。
また、円板形状のハウジング２１の中心部分には、磁石用挿入孔４３が形成される。
磁石２２は、磁石用挿入孔４３と略同径の円柱形状に形成される。また、磁石２２は、マーカ金属板１２より大径に形成される。円柱形状の磁石２２は、磁石用挿入孔４３に挿入される。磁石２２は、磁石用挿入孔４３に圧入されても、接着剤により張り付けられてもよい。
また、磁石２２は、ハウジング２１についての中心部分より薄く形成される。これにより、磁石用挿入孔４３に挿入された磁石２２の裏面は、ハウジング２１についての裏面凹部４２が形成された裏面部分より、上へ窪む。
【００４１】
着脱マーカ６は、平板部１１、マーカ金属板１２、を有する。
マーカ金属板１２は、磁石２２に吸着する金属材料により、円板形状または円環形状を有する。マーカ金属板１２は、円筒形状の磁石２２より小径に形成される。マーカ金属板１２は、基台４における磁石２２によるくぼみの深さより、厚く形成される。
【００４２】
このようなゴルフボールマーカ１では、マーカ金属板１２が磁石２２と吸着することにより、基台４の裏面に着脱マーカ６が取り外し可能に取り付けられる。また、マーカ金属板１２は、磁石２２より小径に形成されている。よって、基台４は、着脱マーカ６を間に挟んだ状態で、たとえば金属製のクリップに取り付けることができる。また、着脱マーカ６が装飾部材２および基台４と一体化している状態で、グリーン上に置いて、ゴルフボールマーカとして使用することができる。
また、着脱マーカ６の平板部１１は、基台４の裏面に取り付けられた状態で、マーカ金属板１２の厚みにより、ハウジング２１より下へ突出する。着脱マーカ６の平板部１１と、基台４のクッション材２３との間には隙間が形成される。平板部１１は、マーカ金属板１２の厚みにより、基台４に取り付けられた状態で基台４から浮く。そして、この隙間にたとえば爪先を入れることにより、磁力で磁石２２に吸着している着脱マーカ６を、基台４から容易に取り外すことができる。取り外した着脱マーカ６は、それ単体で、ゴルフボールマーカ１として使用することができる。また、着脱マーカ６を取り外した基台４は、たとえば金属製のクリップに取り付けることができる。
【００４３】
以上のように、本実施形態では、基台４が、着脱マーカ６の平板部１１より一回り大きいサイズに形成されるハウジング２１を有する。よって、ゴルフボールマーカ１の視認性および判別性を格段に改善できる。
しかも、ゴルフボールマーカ１を金属製のクリップなどに取り付けた場合、基台４の磁石２２と金属製のクリップとの間に着脱マーカ６が介在する。また、基台４の磁石２２は、金属製のクリップから浮かした状態になる。金属製のクリップに対する磁力は相対的に弱くなる。よって、基台４のハウジング２１を指で挟んで引っ張ることにより、金属製のクリップから基台４とともに着脱マーカ６を一体的に取り外すことができる。ゴルフボールマーカ１の使用性として好適なものを得ることができる。
【００４４】
［第４実施形態］
次に、本考案の第４実施形態に係るゴルフボールマーカ１について説明する。第２実施形態の各構成要素については、対応する第１実施形態と同一の符号を付して重複する説明を省略する。以下の説明では、主に第２実施形態との相違点について説明する。
図７は、本考案の第４実施形態に係るゴルフボールマーカ１の断面図である。
図８は、図７のゴルフボールマーカ１を下から見た外観図である。
ゴルフボールマーカ１は、磁石２２を有する基台４、着脱マーカ６、を有する。図７において、着脱マーカ６は、基台４から取り外されている。図８では、着脱マーカ６が点線で図示されている。
【００４５】
基台４は、ハウジング２１、磁石２２、を有する。
ハウジング２１は、たとえば樹脂材料により、着脱マーカ６の平板部１１より一回り大きいサイズの略円板形状の外形に形成される。円板形状のハウジング２１の上面には上面凹部４１が形成され、裏面には裏面凹部４２が形成される。上面凹部４１および裏面凹部４２は、着脱マーカ６の平板部１１より大径の円板形状に形成される。上面凹部４１および裏面凹部４２により、ハウジング２１についての中心部分は、薄くなる。
また、円板形状のハウジング２１の中心部分には、磁石用挿入孔４３が形成される。
磁石２２は、磁石用挿入孔４３と略同径の円筒形状に形成される。また、磁石２２は、マーカ金属板１２より大径に形成される。円柱形状の磁石２２は、磁石用挿入孔４３に挿入される。磁石２２は、磁石用挿入孔４３に圧入されても、接着剤により張り付けられてもよい。
また、磁石２２は、ハウジング２１についての中心部分より厚く形成される。また、磁石用挿入孔４３に挿入された磁石２２の裏面は、ハウジング２１についての裏面凹部４２が形成された裏面部分より、上へ窪む。これにより、磁石２２は、磁石用挿入孔４３より上へ突出する。
また、円筒形状の磁石２２の中心の磁石貫通孔２７は、着脱マーカ６のピン部１３より大径に形成される。
【００４６】
着脱マーカ６は、平板部１１、マーカ金属板１２、ピン部１３、を有する。
マーカ金属板１２は、磁石２２に吸着する金属材料により、円環形状を有する。マーカ金属板１２は、円筒形状の磁石２２より小径に形成される。マーカ金属板１２は、磁石２２による基台４の裏面の窪みの深さより、厚く形成される。
また、円環形状のマーカ金属板１２の中心には、マーカ貫通孔１４が形成される。マーカ貫通孔１４には、ピン部１３が挿入される。
【００４７】
このようなゴルフボールマーカ１では、マーカ金属板１２が磁石２２と吸着することにより、基台４の裏面に着脱マーカ６が取り外し可能に取り付けられる。また、マーカ金属板１２は、磁石２２より小径に形成されている。よって、基台４は、着脱マーカ６を間に挟んだ状態で、たとえば金属製のクリップに取り付けることができる。また、着脱マーカ６が装飾部材２および基台４と一体化している状態で、グリーン上に置いて、ゴルフボールマーカとして使用することができる。
また、着脱マーカ６の平板部１１は、基台４の裏面に取り付けられた状態で、マーカ金属板１２の厚みにより、ハウジング２１より下へ突出する。着脱マーカ６の平板部１１と、基台４のクッション材２３との間には隙間が形成される。平板部１１は、マーカ金属板１２の厚みにより、基台４に取り付けられた状態で基台４から浮く。そして、この隙間にたとえば爪先を入れることにより、磁力で磁石２２に吸着している着脱マーカ６を、基台４から容易に取り外すことができる。取り外した着脱マーカ６は、それ単体で、ピン部１３を地面に刺して、ゴルフボールマーカ１として使用することができる。また、着脱マーカ６を取り外した基台４は、たとえば金属製のクリップに取り付けることができる。
また、着脱マーカ６のピン部１３は、磁石貫通孔２７を貫通し、基台４の上へ突出する。よって、この突出部分を上から押すことによっても、磁力で磁石２２に吸着している着脱マーカ６を、基台４から容易に取り外すことができる。
【００４８】
以上のように、本実施形態において、着脱マーカ６は、平板部１１の一面の略中央からピン部１３が突出している。よって、一般的なゴルフボールマーカ１と同様に地面に突き刺して利用することができる。
また、ゴルフボールマーカ１を金属製のクリップなどに取り付けた場合、基台４の磁石２２と金属製のクリップとの間に着脱マーカ６を介在させることができる。また、基台４の磁石２２を金属製のクリップから浮かした状態で取り付けることができる。その結果、基台４のハウジング２１を指で挟んで引っ張ることにより、金属製のクリップから基台４とともに着脱マーカ６を一体的に取り外すことができる。ゴルフボールマーカ１の使用性として好適なものを得ることができる。
また、着脱マーカ６のピン部１３は、着脱マーカ６が基台４の裏面に取り付けられた状態でハウジング２１の表面より上へ突出する。よって、突出したピン部１３を押すことで、基台４から着脱マーカ６を取り外すことができる。
【００４９】
以上の実施形態は、本考案の好適な実施形態の例であるが、本考案は、これに限定されるものではなく、考案の要旨を逸脱しない範囲において種々の変形または変更が可能である。
【００５０】
たとえば上記第２実施形態では、基台４のハウジング２１の略円板形状の上面は、中央部が周縁部より上へ突出した凸曲面形状に形成されている。そして、中央部分には、ハウジング貫通孔２６が形成される。
図９は、第２実施形態に係るゴルフボールマーカ１の変形例の外観図である。図９のゴルフボールマーカ１では、着脱マーカ６および装飾部材２は、基台４から取り外されている。
図１０は、図９のゴルフボールマーカ１の断面図である。
図９および図１０の基台４のハウジング２１の上面中央部分には、装飾部材２の装飾金属板３３が収まる収容凹部５１が形成される。
このような変形例では、基台４に装飾部材２が取り付けられた状態で、装飾金属板３３が収容凹部５１に収容される。ゴルフボールマーカ１の表面に、装飾部材２の装飾金属板３３が露出し難くなる。装飾金属板３３が目立たなくなることで、基台４のハウジング２１の表面のデザインと、装飾部材２の表面のデザインとの一体感を得ることができる。ゴルフボールマーカ１としてのデザイン性を改善し得る。
しかも、装飾部材２を持ってスライドさせた場合に、装飾金属板３３が収容凹部５１の内面に当たるので、ハウジング２１の表面で装飾部材２がスライドし難くなり、装飾部材２とともに基台４をスライドさせることができる。着脱マーカ６の着脱状態にかかわらず、装飾部材２とともに基台４をスライドさせることができる。
なお、装飾部材２の装飾金属板３３が収まる収容凹部５１の替わりに、ハウジング２１の表面において装飾金属板３３の周囲で突出する凸部を設けてもよい。また、収容凹部５１とともに凸部を設けてもよい。
【００５１】
そして、これらの実施形態および変形例のゴルフボールマーカ１では、磁石２２の磁力により、帽子のつば部分に取り付けた金属製のクリップなどに対して取り付けて、携帯できる。また、ポケットに入れた場合でも、従来のゴルフボールマーカよりも大きいので、取り出しやすく、無くし難い。また、自前のたとえばカジノコインをゴルフボールマーカとして用いる場合には、それとは別にゴルフ場に常備されているプラスチック製マーカを一緒に持ち歩くことになるが、そのように複数のマーカを別々に持ち歩く面倒もない。また、本実施形態および変形例のゴルフボールマーカ１を使用することにより、カップから離れた場所にマーカを置いた場合でも、それを見失いにくい。ライン読みの際の低い姿勢でも、ゴルフボールマーカ１を視認し易い。
これらの効果は、たとえば、基台４の磁石２２に対して着脱マーカ６、装飾部材２および金属製のクリップを好適なバランスで吸着させていることにより得られるものである。なお、本考案においては、磁石２２の磁力の強さをこれらの間で好適に調整できればよく、基台４に設ける磁石２２が１つに限れるものではないことは言うまでもない。
【００５２】
上記実施形態では、ゴルフボールマーカ１は、少なくとも、磁石２２を有する基台４と、着脱マーカ６と、を有する。また、着脱マーカ６は、少なくとも、平板部１１と、磁石２２の磁力により基台４の裏面に取り外し可能に取り付けられるマーカ金属板１２と、を有する。そして、マーカ金属板１２は、平板部１１と重ねて設けられる。また、着脱マーカ６は、既存のゴルフボールマーカと同様の樹脂材料により、たとえば平板部１１およびピン部１３を有する既存のゴルフボールマーカと同様の形状に形成し得る。
このため、上記実施形態のゴルフボールマーカ１では、樹脂材料により形成可能な着脱マーカ６のたとえば平板部１１およびピン部１３として、既存のゴルフボールマーカを使用することも可能である。この場合、該樹脂材料部分以外の部分である、磁石２２を有する基台４およびマーカ金属板１２は、ゴルフボールマーカ用キットとして販売等されればよい。そして、たとえば、マーカ金属板１２のマーカ貫通孔１４に既存のゴルフボールマーカのピン部１３を挿入することにより、磁石２２の磁力により基台４の裏面に取り外し可能に取り付けられる着脱マーカ６を形成することができる。該ゴルフボールマーカ用キットと既存のゴルフボールマーカと組み合わせることで、各実施形態のゴルフボールマーカ１を完成させて使用することができる。
【符号の説明】
【００５３】
１…ゴルフボールマーカ
２…装飾部材
４…基台
６…着脱マーカ
１１…平板部
１２…マーカ金属板
１３…ピン部
１４…マーカ貫通孔
２１…ハウジング
２２…磁石
２３…クッション材
２４…ハウジング凹部
２５…磁石凹部
２６…ハウジング貫通孔
２７…磁石貫通孔
２８…基台貫通孔
２９…テーパ部
３１…装飾部
３２…ヒゲ部
３３…装飾金属板
３４…装飾貫通孔
３５…装飾穴
４１…上面凹部
４２…裏面凹部
４３…磁石用挿入孔
５１…収容凹部
【図１】
0003194292.tif 000003
【図２】
0003194292.tif 000004
【図３】
0003194292.tif 000005
【図４】
0003194292.tif 000006
【図５】
0003194292.tif 000007
【図６】
0003194292.tif 000008
【図７】
0003194292.tif 000009
【図８】
0003194292.tif 000010
【図９】
0003194292.tif 000011
【図１０】
0003194292.tif 000012